(57)【要約】【課題】  金融端末内部の被清掃対象物に付着した塵埃を効率良く除去清掃することが可能な電気掃除機のフレキシブルノズルの提供。【解決手段】  電気掃除機のフレキシブルノズル１は、ノズルチューブ４とチューブ継手５を備える。ノズルチューブ４のチューブ本体４０をチューブ継手５の継手本体５０のチューブ接続部５２に装着後、ブロワノズル３先端部を継手本体５０のノズル接続口５３からノズル接続部５１内部に差し込み、ノズルチューブ４をチューブ継手５を介してブロワノズル３先端部に取付ける。継手本体５０のチューブ接続部５２がブロワノズル３先端から噴出される一次圧縮した圧縮空気を絞って二次圧縮した圧縮空気とし、二次圧縮した圧縮空気を継手本体５０のノズル口５４を経由してチューブ本体４０の圧縮空気噴射口４１から噴射させる。【選択図】        図１
2005278900.tif 000002
【特許請求の範囲】
【請求項１】
電気掃除機の排気口から排出される排気を一次圧縮した圧縮空気を噴出するブロワノズルの先端部に着脱自在に取付けられる電気掃除機のフレキシブルノズルであって、
圧縮空気噴射用の可撓性を有する長尺なノズルチューブと、前記ノズルチューブを前記ブロワノズルの先端部に接続するチューブ継手とを備え、前記チューブ継手は、前記ブロワノズル内部の排気通路と連通する中空体からなるチューブ継手本体を有し、前記チューブ継手のチューブ継手本体は、前記ブロワノズルの先端部の外側に嵌合するための空気入口側の基端から空気出口側の先端の途中に向って縮径するテーパ管状のノズル接続部と、前記ノズル接続部の末端に同一中心軸線上に先端に向って突出して一体に形成された前記一次圧縮した圧縮空気を絞って二次圧縮するための小径な円筒状のノズルチューブ接続部とよりなり、前記チューブ継手のチューブ継手本体の基端に前記ブロワノズルの先端部を挿入するための開口する端面円形のノズル接続口を形成すると共に、前記チューブ継手のチューブ継手本体の先端に前記二次圧縮した圧縮空気を噴射するための開口するノズル口を形成し、前記ノズルチューブは、円筒状のノズルチューブ本体を有し、前記ノズルチューブのノズルチューブ本体の一端に前記二次圧縮した圧縮空気を噴射するための開口する圧縮空気噴射口を形成し、前記ノズルチューブのノズルチューブ本体の他端部の内部に前記チューブ継手のチューブ継手本体の前記ノズルチューブ接続部を圧入して接続したことを特徴とする電気掃除機のフレキシブルノズル。
【請求項２】
上記ノズルチューブは、シリコンゴム，シリコン樹脂またはポリエチレンなどの合成樹脂材料からなる請求項１に記載の電気掃除機のフレキシブルノズル。
【請求項３】
上記チューブ継手の材質は、ポリプロピレン等の熱可塑性樹脂である請求項１に記載の電気掃除機のフレキシブルノズル。
【請求項４】
さらに、上記ノズルチューブを保形するための可撓性を有する長尺な保形用線材を備え、前記保形用線材は、前記ノズルチューブの長手方向に沿って配置されている請求項１に記載の電気掃除機のフレキシブルノズル。
【請求項５】
上記保形用線材は、可撓性と保形性を有する長尺な芯材の周囲を合成樹脂製被覆材で被覆してなる請求項４に記載の電気掃除機のフレキシブルノズル。
【請求項６】
上記保形用線材は、上記ブロワノズル及び上記ノズルチューブに対して複数の結束バンドで結束して固定されている請求項１乃至５のいずれかに記載の電気掃除機のフレキシブルノズル。
【請求項７】
上記保形用線材は、上記ノズルチューブのノズルチューブ本体の外周に螺旋状に巻き付けられている請求項１乃至３のいずれかに記載の電気掃除機のフレキシブルノズル。
【請求項８】
上記ノズルチューブは、上記ノズルチューブ本体の一部に屈曲可能な蛇腹部を有する請求項１に記載の電気掃除機のフレキシブルノズル。
【発明の詳細な説明】
【技術分野】
【０００１】
本発明は、電気掃除機のフレキシブルノズルに関し、特に、金融端末の内部において発生した塵埃を除去清掃するための圧縮空気を噴射するブロワノズルの先端部に取付けられる電気掃除機のフレキシブルノズルに関するものである。
【背景技術】
【０００２】
銀行や郵便局などの金融機関には、現金を取り扱うＡＴＭ（Ａｕｔｏｍａｔｉｃ  Ｔｅｌｌｅｒ  Ｍａｃｈｉｎｅ；現金自動預入支払機），ＣＤ（Ｃａｓｈ  Ｄｉｓｐｅｎｓｅｒ；現金自動支払機），紙幣計数機，証券計数機，ＰＩＭ（営業店端末）などの各種の金融端末が設置されており、近年、特定のコンビニエンスストアにもＡＴＭが設置されるようになった。
金融端末の内部には、投光器と受光器とからなる多数の光センサや紙幣を搬送するための紙幣搬送装置，紙幣搬送路などが配設されている。
【０００３】
そして、紙幣は実際に流通している間に、紙幣の表面に塵埃が付着して汚れてくる。
【０００４】
金融端末の内部では、紙幣を高速でカウントするため、多量の塵埃が発生し、紙幣を紙幣搬送装置や紙幣搬送路で搬送する際に、紙幣の表面が紙幣搬送装置の搬送ベルト，搬送ローラや紙幣搬送路で強く擦られ、紙幣の表面に付着している塵埃が剥がれ落ちることにより、金融端末の内部において紙幣の表面から剥がれ落ちた塵埃が発生し、しかも、大気中に浮遊している塵埃が空気の流れや摩擦により発生する静電気などにより金融端末の内部に入り込んでしまうので、塵埃が時間の経過と共に金融端末の内部の被清掃対象物となる多数の光センサや紙幣搬送装置の搬送ベルト，搬送ローラや紙幣搬送路に付着し、塵埃が光センサの投光器や受光器の表面に多量に付着すると、光センサ自体の検出機能が低下してしまい、金融端末の動作に不都合を生じるおそれがある。
したがって、保守作業員が金融端末の内部において被清掃対象物に付着した塵埃を除去する清掃作業を定期的に行っている。
【０００５】
金融端末の内部において被清掃対象物に付着した塵埃の清掃は、保守作業員が一般に市販されているブロワ機能付きの電気掃除機を使用し、掃除機本体の排気を排出する排気口にホースの一端部を差し込んで接続した後、電気掃除機のホースの他端部に吸引／ブロワ両用のスポットノズルの基端部を差し込んで接続し、電気掃除機のホースの他端にスポットノズルを取付け、スポットノズルの先端の噴出口から噴出される圧縮空気により金融端末の内部に配設された多数の光センサの投光器や受光器の表面，紙幣搬送装置の搬送ベルト，搬送ローラ，紙幣搬送路などに付着した塵埃を吹き飛ばして除去清掃を行っている。
【０００６】
従来、電動ブロワを内蔵した本体ケースと、電動ブロワの吸込側に接続された吸込みノズル及び電動ブロワの排気側に接続された排気穴と、本体ケースに設けられた携帯手段とを備え、電動ブロワの排気側に接続されたブロワノズルと、電動ブロワのブロワノズル及び排気穴に対する連通状態を切替える切替弁とを有する携帯型掃除機が特許文献１に開示されている。
【特許文献１】特開２０００−２４５６５９号公報
【発明の開示】
【発明が解決しようとする課題】
【０００７】
ところが、現状では、ブロワノズルとして電気掃除機の標準の付属品である吸引／ブロワ両用のスポットノズルを使用しており、スポットノズルの先端の噴出口の口径が大きいので、スポットノズルの噴出口から噴出される圧縮空気の噴出力が弱くなり、スポットノズルの噴出口から噴出される圧縮空気の噴出圧力が低いので、金融端末の内部に配設された多数の光センサの投光器や受光器の表面，紙幣搬送装置の搬送ベルト，搬送ローラ，紙幣搬送路などに付着した塵埃をスポットノズルの噴出口から噴出される圧縮空気により吹き飛ばして効率良く確実に除去清掃することができず、しかも、保守作業員が金融端末の内部の被清掃対象物となる多数の光センサの投光器や受光器の表面，紙幣搬送装置の搬送ベルト，搬送ローラ，紙幣搬送路などに付着した塵埃を除去清掃する際に、スポットノズルの先端の噴出口を清掃しようとする被清掃対象物に近付けると、被清掃対象物の清掃箇所がスポットノズルの先端部で隠れてしまうので、被清掃対象物の清掃箇所が保守作業員の目から見え難く、スポットノズルの先端を被清掃対象物の清掃箇所に当ててしまい、被清掃対象物の清掃箇所をスポットノズルの先端で破損するおそれがあった。
【０００８】
また、特許文献１に開示された携帯型掃除機では、ブロワノズルの先端の圧縮空気噴出口の口径が大きいので、ブロワノズルの圧縮空気噴出口から噴出される圧縮空気の噴出力が弱くなり、ブロワノズルの圧縮空気噴出口から噴出される圧縮空気の噴出圧力が低いので、金融端末の内部に配設された多数の光センサの投光器や受光器の表面，紙幣搬送装置の搬送ベルト，搬送ローラ，紙幣搬送路などに付着した塵埃をブロワノズルの圧縮空気噴出口から噴出される圧縮空気により吹き飛ばして効率良く確実に除去清掃することができず、しかも、保守作業員が金融端末の内部の被清掃対象物となる多数の光センサの投光器や受光器の表面，紙幣搬送装置の搬送ベルト，搬送ローラ，紙幣搬送路などに付着した塵埃を除去清掃する際に、被清掃対象物が様々な形状を成しているので、被清掃対象物の形状に応じたブロワノズルによる塵埃の除去清掃を行うことができず、ブロワノズルの先端の圧縮空気噴出口を被清掃対象物に近付けると、被清掃対象物の清掃箇所がブロワノズルの先端部で隠れてしまうので、被清掃対象物の清掃箇所が保守作業員の目から見え難く、ブロワノズルの先端を被清掃対象物の清掃箇所に当ててしまい、被清掃対象物の清掃箇所をブロワノズルの先端で破損するおそれがあった。
【０００９】
そこで、本発明の目的は、上記の事情に鑑みてなされたものであって、ノズルチューブのノズルチューブ本体をチューブ継手のチューブ継手本体のノズルチューブ接続部に接続した後、ブロワノズルの先端部をチューブ継手のチューブ継手本体の基端のノズル接続口からノズル接続部の内部に差し込むのみで、ノズルチューブをチューブ継手を介してブロワノズルの先端部にワンタッチで簡単に取付けることができ、ノズルチューブを任意の形状に屈曲させることができ、チューブ継手のチューブ継手本体のノズルチューブ接続部がブロワノズルの先端の圧縮空気噴出口から噴出される一次圧縮した圧縮空気を絞って二次圧縮すると共に、二次圧縮した圧縮空気がチューブ継手のチューブ継手本体の先端のノズル口からノズルチューブのノズルチューブ本体の内部に向って噴射されるので、ノズルチューブのノズルチューブ本体の一端の圧縮空気噴射口から二次圧縮した圧縮空気を噴射させることができ、ノズルチューブの圧縮空気噴射口から噴射される二次圧縮した圧縮空気の噴射力がより強くなり、ノズルチューブの圧縮空気噴射口から噴射される二次圧縮した圧縮空気の噴射圧力が高いので、金融端末の内部に配設された多数の光センサの投光器や受光器の表面，紙幣搬送装置の搬送ベルト，搬送ローラ，紙幣搬送路などに付着した塵埃をノズルチューブの圧縮空気噴射口から噴射される二次圧縮した圧縮空気により吹き飛ばして効率良く確実に除去清掃することができ、しかも、保守作業員が金融端末の内部の被清掃対象物となる多数の光センサの投光器や受光器の表面，紙幣搬送装置の搬送ベルト，搬送ローラ，紙幣搬送路などに付着した塵埃を除去清掃する際に、ノズルチューブの圧縮空気噴射口を被清掃対象物に近付けても、被清掃対象物の清掃箇所がノズルチューブのノズルチューブ本体の一端部で隠れてしまうこともなく、被清掃対象物の清掃箇所が保守作業員の目から見易く、被清掃対象物の清掃箇所のノズルチューブのノズルチューブ本体の一端による破損を防止することが可能な電気掃除機のフレキシブルノズルを提供することにある。
【課題を解決するための手段】
【００１０】
本発明の電気掃除機のフレキシブルノズルは、電気掃除機の排気口から排出される排気を一次圧縮した圧縮空気を噴出するブロワノズルの先端部に着脱自在に取付けられる電気掃除機のフレキシブルノズルであって、圧縮空気噴射用の可撓性を有する長尺なノズルチューブと、前記ノズルチューブを前記ブロワノズルの先端部に接続するチューブ継手とを備え、前記チューブ継手が、前記ブロワノズル内部の排気通路と連通する中空体からなるチューブ継手本体を有し、前記チューブ継手のチューブ継手本体が、前記ブロワノズルの先端部の外側に嵌合するための空気入口側の基端から空気出口側の先端の途中に向って縮径するテーパ管状のノズル接続部と、前記ノズル接続部の末端に同一中心軸線上に先端に向って突出して一体に形成された前記一次圧縮した圧縮空気を絞って二次圧縮するための小径な円筒状のノズルチューブ接続部とよりなり、前記チューブ継手のチューブ継手本体の基端に前記ブロワノズルの先端部を挿入するための開口する端面円形のノズル接続口を形成すると共に、前記チューブ継手のチューブ継手本体の先端に前記二次圧縮した圧縮空気を噴射するための開口するノズル口を形成し、前記ノズルチューブが、円筒状のノズルチューブ本体を有し、前記ノズルチューブのノズルチューブ本体の一端に前記二次圧縮した圧縮空気を噴射するための開口する圧縮空気噴射口を形成し、前記ノズルチューブのノズルチューブ本体の他端部の内部に前記チューブ継手のチューブ継手本体の前記ノズルチューブ接続部を圧入して接続したことを特徴とする構成を有するものである。
【００１１】
上記に記載の本発明によれば、チューブ継手のチューブ継手本体のノズルチューブ接続部をノズルチューブのノズルチューブ本体の他端部の内部に圧入することにより、ノズルチューブのノズルチューブ本体の他端部が弾性変形してチューブ継手のチューブ継手本体のノズルチューブ接続部の外周面に密着するように嵌合するので、ノズルチューブをチューブ継手のチューブ継手本体のノズルチューブ接続部に確実に接続することができ、ノズルチューブがチューブ継手のチューブ継手本体のノズルチューブ接続部から抜け外れるおそれもなく、ブロワノズルの先端部をチューブ継手のチューブ継手本体の基端に形成したノズル接続口からノズル接続部の内部に差し込んで接続するのみで、チューブ継手のチューブ継手本体のノズル接続部がブロワノズルの先端部の外側に嵌合するので、ノズルチューブをチューブ継手を介してブロワノズルの先端部に簡単に取付けることができ、チューブ継手のチューブ継手本体のノズル接続部の長さが長いので、チューブ継手がブロワノズルの先端部から抜け外れることもなく、ノズルチューブを任意の形状に屈曲させることができ、チューブ継手のチューブ継手本体のノズルチューブ接続部がブロワノズルの先端の圧縮空気噴出口から噴出される一次圧縮した圧縮空気を絞って二次圧縮し、二次圧縮した圧縮空気がチューブ継手のチューブ継手本体の先端に形成したノズル口からノズルチューブのノズルチューブ本体の内部に向って噴射されるので、ノズルチューブのノズルチューブ本体の一端に形成した圧縮空気噴射口から二次圧縮した圧縮空気を噴射させることができ、ノズルチューブのノズルチューブ本体の一端を金融端末の内部の清掃しようとする被清掃対象物の清掃箇所に近付ければ、金融端末の内部に配設された多数の光センサの投光器や受光器の表面，紙幣搬送装置の搬送ベルト，搬送ローラ，紙幣搬送路などに付着した塵埃をノズルチューブの圧縮空気噴射口から噴射される二次圧縮した圧縮空気により吹き飛ばして効率良く除去清掃することができる。
【００１２】
本発明の電気掃除機のフレキシブルノズルは、上記ノズルチューブが、シリコンゴム，シリコン樹脂またはポリエチレンなどの合成樹脂材料からなる。
【００１３】
上記に記載の本発明によれば、ノズルチューブがシリコンゴム，シリコン樹脂またはポリエチレンなどの柔軟性を有する合成樹脂材料からなるので、ノズルチューブを被清掃対象物の清掃作業に最適な任意の形状に屈曲させることができ、ノズルチューブの製造コストが安価で、被清掃対象物の清掃作業時に被清掃対象物をノズルチューブによって損傷するおそれも少ない。
【００１４】
本発明の電気掃除機のフレキシブルノズルは、上記チューブ継手の材質が、ポリプロピレン等の熱可塑性樹脂である。
【００１５】
上記に記載の本発明によれば、チューブ継手の材質がポリプロピレン等の熱可塑性樹脂であるので、チューブ継手が耐衝撃性に優れ、チューブ継手の製造コストが安価で、チューブ継手を再資源としてリサイクルすることもできる。
【００１６】
本発明の電気掃除機のフレキシブルノズルは、さらに、上記ノズルチューブを保形するための可撓性を有する長尺な保形用線材を備え、前記保形用線材が、前記ノズルチューブの長手方向に沿って配置されている。
【００１７】
上記に記載の本発明によれば、保形用線材をノズルチューブの長手方向に沿って配置したので、ノズルチューブを保形用線材と共に任意の形状に屈曲させることができ、保形用線材がノズルチューブの屈曲後の形状を保ち、ノズルチューブの圧縮空気噴射口を金融端末の内部の清掃しようとする被清掃対象物の清掃箇所に向けることができる。
【００１８】
本発明の電気掃除機のフレキシブルノズルは、上記保形用線材が、可撓性と保形性を有する長尺な芯材の周囲を合成樹脂製被覆材で被覆してなる。
【００１９】
上記に記載の本発明によれば、保形用線材が可撓性と保形性を有する長尺な芯材の周囲を合成樹脂製被覆材で被覆してなるので、保形用線材の芯材を合成樹脂製被覆材により保護することができ、保形用線材の芯材が合成樹脂製被覆材の外部に露出しないので、被清掃対象物の清掃作業時に被清掃対象物を保形用線材の芯材で損傷するおそれも少ない。
【００２０】
本発明の電気掃除機のフレキシブルノズルは、上記保形用線材が、上記ブロワノズル及び上記ノズルチューブに対して複数の結束手段で結束して固定されている。
【００２１】
上記に記載の本発明によれば、保形用線材をブロワノズル及びノズルチューブに対して複数の結束手段で結束して固定したので、保形用線材のブロワノズル及びノズルチューブに対する長手方向への移動を防止することができ、ノズルチューブがチューブ継手のチューブ継手本体のノズルチューブ接続部に強固に固定されるので、ノズルチューブのチューブ継手のチューブ継手本体のノズルチューブ接続部からの抜け外れを確実に防止することができる。
【００２２】
本発明の電気掃除機のフレキシブルノズルは、上記保形用線材が、上記ノズルチューブのノズルチューブ本体の外周に螺旋状に巻き付けられている。
【００２３】
上記に記載の本発明によれば、保形用線材がノズルチューブのノズルチューブ本体の外周に螺旋状に巻き付けられているので、保形用線材をブロワノズル及びノズルチューブに対して複数の結束手段で結束して固定する必要もなく、保形用線材のノズルチューブに対する取付けを迅速に行うことができ、保形用線材がノズルチューブから外れることもなく、ノズルチューブを螺旋状に巻き付けた保形用線材と共に任意の形状に屈曲させることができ、保形用線材がノズルチューブの屈曲後の形状を保ち、ノズルチューブの圧縮空気噴射口を金融端末の内部の清掃しようとする被清掃対象物の清掃箇所に向けることができ、保形用線材をブロワノズル及びノズルチューブに結束するための複数の結束手段を省くことができる。
【００２４】
本発明の電気掃除機のフレキシブルノズルは、上記ノズルチューブが、上記ノズルチューブ本体の一部に屈曲可能な蛇腹部を有している。
【００２５】
上記に記載の本発明によれば、ノズルチューブがノズルチューブ本体の一部に屈曲可能な蛇腹部を有しているので、ノズルチューブのノズルチューブ本体の蛇腹部を適当な形状に屈曲させるのみで、ノズルチューブを真直ぐな状態から蛇腹部の位置で任意の角度に容易に曲げることができ、ノズルチューブを保形するための保形用線材を必要とせず、保形用線材をブロワノズル及びノズルチューブに結束するための複数の結束手段を省くこともできる。
【発明の効果】
【００２６】
以上に述べたように、本発明によれば、ノズルチューブのノズルチューブ本体をチューブ継手のチューブ継手本体のノズルチューブ接続部に接続した後、ブロワノズルの先端部をチューブ継手のチューブ継手本体の基端のノズル接続口からノズル接続部の内部に差し込むのみで、ノズルチューブをチューブ継手を介してブロワノズルの先端部にワンタッチで簡単に取付けることができ、ノズルチューブを任意の形状に屈曲させることができ、チューブ継手のチューブ継手本体のノズルチューブ接続部がブロワノズルの先端の圧縮空気噴出口から噴出される一次圧縮した圧縮空気を絞って二次圧縮すると共に、二次圧縮した圧縮空気がチューブ継手のチューブ継手本体の先端のノズル口からノズルチューブのノズルチューブ本体の内部に向って噴射されるので、ノズルチューブのノズルチューブ本体の一端の圧縮空気噴射口から二次圧縮した圧縮空気を噴射させることができ、ノズルチューブの圧縮空気噴射口から噴射される二次圧縮した圧縮空気の噴射力がより強くなり、ノズルチューブの圧縮空気噴射口から噴射される二次圧縮した圧縮空気の噴射圧力が高いので、金融端末の内部に配設された多数の光センサの投光器や受光器の表面，紙幣搬送装置の搬送ベルト，搬送ローラ，紙幣搬送路などに付着した塵埃をノズルチューブの圧縮空気噴射口から噴射される二次圧縮した圧縮空気により吹き飛ばして効率良く確実に除去清掃することができ、しかも、保守作業員が金融端末の内部の被清掃対象物となる多数の光センサの投光器や受光器の表面，紙幣搬送装置の搬送ベルト，搬送ローラ，紙幣搬送路などに付着した塵埃を除去清掃する際に、ノズルチューブの圧縮空気噴射口を被清掃対象物に近付けても、被清掃対象物の清掃箇所がノズルチューブのノズルチューブ本体の一端部で隠れてしまうこともなく、被清掃対象物の清掃箇所が保守作業員の目から見易く、被清掃対象物の清掃箇所のノズルチューブのノズルチューブ本体の一端による破損を防止することが可能な電気掃除機のフレキシブルノズルを得ることができる。
【発明を実施するための最良の形態】
【００２７】
以下、本発明を実施するための最良の形態を図面を参照して詳細に説明する。
【実施例】
【００２８】
本発明の電気掃除機のフレキシブルノズル１は、電気掃除機２の排気口（図示せず）から排出される排気を一次圧縮した圧縮空気を噴出するブロワノズル３の先端部に着脱自在に取付けられるものである。
【００２９】
本発明の電気掃除機のフレキシブルノズル１は、圧縮空気噴射用の可撓性を有する長尺なノズルチューブ４と、ノズルチューブ４をブロワノズル３の先端部に接続するチューブ継手５とを備え、チューブ継手５が、ブロワノズル３の内部の排気通路３５と連通する中空体からなるチューブ継手本体５０を有し、チューブ継手５のチューブ継手本体５０が、ブロワノズル３の先端部の外側に嵌合するための空気入口側の基端５０ａから空気出口側の先端５０ｂの途中に向って縮径するテーパ管状のノズル接続部５１と、ノズル接続部５１の末端に同一中心軸線上に先端に向って突出して一体に形成された一次圧縮した圧縮空気を絞って二次圧縮するための小径な円筒状のノズルチューブ接続部５２とよりなり、チューブ継手５のチューブ継手本体５０の基端５０ａにブロワノズル３の先端部を挿入するための開口する端面円形のノズル接続口５３を形成すると共に、チューブ継手５のチューブ継手本体５０の先端５０ｂに二次圧縮した圧縮空気を噴射するための開口する端面円形のノズル口５４を形成し、ノズルチューブ４が、円筒状のノズルチューブ本体４０を有し、ノズルチューブ４のノズルチューブ本体４０の一端４０ａに二次圧縮した圧縮空気を噴射するための開口する端面円形の圧縮空気噴射口４１を形成し、ノズルチューブ４のノズルチューブ本体４０の他端部の内部にチューブ継手５のチューブ継手本体５０のノズルチューブ接続部５２を圧入して接続してある。
【００３０】
本発明の電気掃除機のフレキシブルノズル１は、ノズルチューブ４が、シリコンゴム，シリコン樹脂またはポリエチレンなどの合成樹脂材料からなる。
【００３１】
本発明の電気掃除機のフレキシブルノズル１は、チューブ継手５の材質が、ポリプロピレン等の熱可塑性樹脂である。
【００３２】
本発明の電気掃除機のフレキシブルノズル１は、さらに、ノズルチューブ４を保形するための可撓性を有する長尺な保形用線材６を備え、保形用線材６が、ノズルチューブ４の長手方向に沿って配置されている。
【００３３】
本発明の電気掃除機のフレキシブルノズル１は、保形用線材６が、可撓性と保形性を有する長尺な芯材の周囲を合成樹脂製被覆材で被覆してなる。
【００３４】
本発明の電気掃除機のフレキシブルノズル１は、保形用線材６が、ブロワノズル３及びノズルチューブ４に対して複数の結束手段となる結束バンド７で結束して固定されている。
【００３５】
図１は、本発明に係る第１実施例の電気掃除機のフレキシブルノズルの構成を示す正断面図、図２は、本発明に係る第１実施例の電気掃除機のフレキシブルノズルのノズルチューブを示す正断面図、図３は、図２の右側面図、図４は、図２の左側面図、図５は、本発明に係る第１実施例の電気掃除機のフレキシブルノズルのチューブ継手を示す正断面図、図６は、図５の左側面図、図７は、図５の右側面図、図８は、本発明に係る第１実施例の電気掃除機のフレキシブルノズルを取付けるブロワノズルを示す正断面図、図９は、図８の左側面図、図１０は、図８の右側面図、図１１は、ブロワノズルのスポットノズルへの取付け状態を示す正面図、図１２は、ブロワノズルのスポットノズルの先端部への接続状態を示す要部拡大断面図、図１３は、本発明に係る第１実施例の電気掃除機のフレキシブルノズルのブロワノズルの先端部への取付け状態を示す要部拡大断面図、図１４は、本発明に係る第１実施例の電気掃除機のフレキシブルノズルのノズルチューブ及び保形用線材を屈曲させた状態を示す要部拡大断面図、図１５は、本発明に係る第１実施例の電気掃除機のフレキシブルノズルの使用状態を示す概略斜視図である。
フレキシブルノズル１は、図１に示すように、圧縮空気噴射用の可撓性を有する長尺なノズルチューブ４と、ノズルチューブ４をブロワノズル３の先端部に接続するためのチューブ継手５と、ノズルチューブ４を保形するための可撓性を有する長尺な保形用線材６とから構成されている。
【００３６】
ノズルチューブ４は、図２に示すように、チューブ継手５のノズルチューブ接続部５２と略同径の円筒状のノズルチューブ本体４０を有し、ノズルチューブ本体４０の一端４０ａには、図３に示すように、二次圧縮した圧縮空気を噴射するための一側方に向って開口する端面円形の圧縮空気噴射口４１が形成され、ノズルチューブ本体４０の他端４０ｂには、図４に示すように、チューブ継手５のノズルチューブ接続部５２を挿入するための他側方に向って開口する端面円形の挿入用開口部４２が形成されている。
【００３７】
チューブ継手５は、図５に示すように、チューブ継手本体５０を有し、チューブ継手本体５０の基端５０ａには、図６に示すように、図８に示す電気掃除機２の付属品であるブロワノズル３の先端部を差し込んで接続するための一側方に向って開口する端面円形のノズル接続口５３が形成されると共に、チューブ継手本体５０の先端５０ｂには、図７に示すように、ノズル接続部５１の中心軸線Ｃ１上に臨んで二次圧縮した圧縮空気を噴射するための他側方に向って開口する端面円形のノズル口５４が形成されている。
【００３８】
チューブ継手５のチューブ継手本体５０は、図５に示すように、中心軸線Ｃ１方向に基端５０ａから先端５０ｂの途中に向って縮径するテーパ管状のノズル接続部５１を有し、チューブ継手本体５０のノズル接続部５１の末端には開口を閉塞するように端壁５５が形成され、ノズル接続部５１の末端の端壁５５の中央にはノズル接続部５１の中心軸線Ｃ１上に先端５０ｂに向って突出した小径な円筒状のノズルチューブ接続部５２が一体に形成されている。
【００３９】
保形用線材６は、芯材である柔軟性を有する長尺な鉛線（図示せず）の周囲が塩化ビニール等の合成樹脂製被覆材（図示せず）により被覆され、合成樹脂製被覆材の外周面は蛇腹状に形成されている。
【００４０】
電気掃除機２の付属品であるブロワノズル３は、図８に示すように、ブロワノズル本体３０を有し、ブロワノズル本体３０の内部には排気通路３５が形成されている。
【００４１】
ブロワノズル３のブロワノズル本体３０は、図８に示すように、中心軸線Ｃ２方向に空気入口側の基端３０ａから空気出口側の先端３０ｂの途中に向って僅かに縮径するテーパ管状の直管部３１と、直管部３１の末端に片側に傾斜して一体に形成され、直管部３１の中心軸線Ｃ２に対して鋭角な角度で交差する中心軸線Ｃ３方向に基端３０ａ寄りから先端３０ｂに向って大きく縮径するテーパ管状部３２とよりなる。
【００４２】
ブロワノズル３のブロワノズル本体３０の先端３０ｂは、テーパ管状部３２の中心軸線Ｃ３に対して直交するように形成されている。
【００４３】
ブロワノズル３のブロワノズル本体３０の空気入口側の基端３０ａには、図８及び図９に示すように、図１１に示す電気掃除機２のホース８の端部に装着したスポットノズル９の先端部を差し込んで接続するための一側方に向って開口する端面円形のスポットノズル接続口３３が形成されると共に、ブロワノズル本体３０の空気出口側の先端３０ｂには、図１０に示すように、電気掃除機２の掃除機本体２０の排気口から排出される排気を一次圧縮した圧縮空気を噴出するための他側方に向って開口する端面円形の圧縮空気噴出口３４が形成されている。
【００４４】
ブロワノズル３のブロワノズル本体３０の基端３０ａに形成されたスポットノズル接続口３３の口径（内径）は、ブロワノズル本体３０の直管部３１とテーパ管状部３２との境界部分の内径よりも僅かに大きくなっている。
【００４５】
ブロワノズル３のブロワノズル本体３０の直管部３１の中心軸線Ｃ２とテーパ管状部３２の中心軸線Ｃ３との交差する交差角度θは、９°となっており、特に、５°〜２０°の範囲内であることが好ましい。
【００４６】
ブロワノズル３の材質は、ポリプロピレン等の熱可塑性樹脂である。
【００４７】
フレキシブルノズル１のブロワノズル３の先端部への取付けは、まず、図１１に示すように、ブロワ機能付きの電気掃除機２の掃除機本体２０の排気口（図示せず）にホース８の一端部８ａを差し込んで接続する。
【００４８】
次いで、電気掃除機２のホース８の他端部８ｂにスポットノズル９の基端部９ａを接続し、電気掃除機２のホース８の他端にスポットノズル９を取付ける。
【００４９】
次いで、スポットノズル９のテーパ管状の先端部９ｂをブロワノズル３のブロワノズル本体３０の基端３０ａに形成したスポットノズル接続口３３から直管部３１の内部に差し込むことにより、図１２に示すように、ブロワノズル３のブロワノズル本体３０の直管部３１がスポットノズル９の先端部９ｂの外側に嵌合され、ブロワノズル３のブロワノズル本体３０の直管部３１の内周面３６とスポットノズル９の先端部９ｂの外周面９０とが互いに密接し、ブロワノズル３のブロワノズル本体３０の先端３０ｂに形成した圧縮空気噴出口３４がスポットノズル９及びホース８を介して電気掃除機２の掃除機本体２０の排気口と連通し、図１１に示すように、ブロワノズル３のブロワノズル本体３０はスポットノズル９を介して電気掃除機２のホース８の他端に取付けられる。
【００５０】
次いで、チューブ継手５のチューブ継手本体５０のノズルチューブ接続部５２をノズルチューブ４のノズルチューブ本体４０の他端４０ｂに形成した挿入用開口部４２から他端部の内部に圧入することにより、ノズルチューブ４のノズルチューブ本体４０の他端部が弾性変形してチューブ継手５のチューブ継手本体５０のノズルチューブ接続部５２の外周面に密着するように嵌合し、ノズルチューブ４のノズルチューブ本体４０の内部の圧縮空気通路４３とチューブ継手５のチューブ継手本体５０のノズルチューブ接続部５２の内部の圧縮空気通路５６とが互いに連通し、ノズルチューブ４がチューブ継手５のチューブ継手本体５０のノズルチューブ接続部５２に接続され、チューブ継手５のチューブ継手本体５０の先端部にノズルチューブ４を取付ける。
【００５１】
次いで、ブロワノズル３のブロワノズル本体３０の先端部をチューブ継手５のチューブ継手本体５０の基端５０ａに形成したノズル接続口５３からノズル接続部５１の内部に差し込むことにより、チューブ継手５のチューブ継手本体５０のノズル接続部５１がブロワノズル３のブロワノズル本体３０のテーパ管状部３２の先端部の外側に嵌合され、チューブ継手５のチューブ継手本体５０のノズル接続部５１の内周面５７とブロワノズル３のブロワノズル本体３０のテーパ管状部３２の先端部の外周面３７とが互いに密接し、ノズルチューブ４のノズルチューブ本体４０の一端４０ａに形成した圧縮空気噴射口４１がチューブ継手５のチューブ継手本体５０の先端５０ｂに形成したノズル口５４及びブロワノズル３のブロワノズル本体３０の先端３０ｂに形成した圧縮空気噴出口３４を介してブロワノズル本体３０の内部の排気通路３５と連通し、図１３に示すように、ノズルチューブ４はチューブ継手５を介してブロワノズル３のブロワノズル本体３０のテーパ管状部３２の先端部に取付けられる。
【００５２】
その後、保形用線材６をノズルチューブ４の長手方向に沿ってブロワノズル３のブロワノズル本体３０のテーパ管状部３２の外周面，ノズルチューブ４のノズルチューブ本体４０の外周面，チューブ継手５のチューブ継手本体５０のノズル接続部５１の外周面に接するように配置し、保形用線材６をブロワノズル３のブロワノズル本体３０のテーパ管状部３２及びノズルチューブ４のノズルチューブ本体４０に複数の結束バンド７で結束して固定し、図１３に示すように、フレキシブルノズル１はブロワノズル３の先端部に取付けられる。
【００５３】
次に、本発明に係る第１実施例の電気掃除機のフレキシブルノズルの使用方法を説明する。
金融端末Ｍの内部において被清掃対象物に付着した塵埃を電気掃除機２のフレキシブルノズル１により除去清掃する場合は、まず始めに、図１４に示すように、保守作業員Ｐはフレキシブルノズル１のノズルチューブ４のノズルチューブ本体４０の一端４０ａに形成した圧縮空気噴射口４１が金融端末Ｍの内部の清掃しようとする被清掃対象物の清掃箇所に向くようにノズルチューブ４及び保形用線材６を手で適当な任意の形状に屈曲させる。
【００５４】
次いで、保守作業員Ｐが電気掃除機２の掃除機本体２０のスイッチ（図示せず）をＯＮにし、電気掃除機２を動作させると、電気掃除機２の掃除機本体２０の排気口から排気が排出され、電気掃除機２の掃除機本体２０の排気口から排出された排気はホース８及びスポットノズル９の内部を通ってブロワノズル３のブロワノズル本体３０のテーパ管状部３２の内部に流れ込み、ブロワノズル３のブロワノズル本体３０のテーパ管状部３２が電気掃除機２の掃除機本体２０の排気口から排出される排気を絞って一次圧縮した圧縮空気とし、ブロワノズル３のブロワノズル本体３０の先端３０ｂに形成した圧縮空気噴出口３４からチューブ継手５のチューブ継手本体５０のノズル接続部５１の内部に向って一次圧縮した圧縮空気を噴出する。
【００５５】
さらに、ブロワノズル３の圧縮空気噴出口３４からチューブ継手５のノズル接続部５１の内部に噴出された圧縮空気は、チューブ継手５のチューブ継手本体５０の円筒状のノズルチューブ接続部５２の内部に流れ込み、チューブ継手５のチューブ継手本体５０のノズルチューブ接続部５２がブロワノズル３のブロワノズル本体３０の先端３０ｂの圧縮空気噴出口３４から噴出される一次圧縮した圧縮空気を絞って二次圧縮した圧縮空気とし、チューブ継手５のチューブ継手本体５０の先端５０ｂに形成したノズル口５４からノズルチューブ４のノズルチューブ本体４０の内部に向って二次圧縮した圧縮空気を噴射する。
【００５６】
その後、チューブ継手５のノズル口５４からノズルチューブ４のノズルチューブ本体４０の内部に噴出された圧縮空気は、ノズルチューブ４のノズルチューブ本体４０の内部を他端４０ｂから一端４０ａに向って流れ、フレキシブルノズル１のノズルチューブ４のノズルチューブ本体４０の一端４０ａに形成した圧縮空気噴射口４１から二次圧縮した圧縮空気を噴射する。
【００５７】
保守作業員Ｐは、スポットノズル９の先端部に装着されたブロワノズル３を手で掴み、図１５に示すように、フレキシブルノズル１のノズルチューブ４のノズルチューブ本体４０の一端４０ａを金融端末Ｍの内部の清掃しようとする被清掃対象物の清掃箇所に近付けることにより、金融端末Ｍの内部に配設された被清掃対象物となる多数の光センサの投光器や受光器の表面，紙幣搬送装置の搬送ベルト，搬送ローラ，紙幣搬送路などに付着した塵埃をノズルチューブ４のノズルチューブ本体４０の一端４０ａの圧縮空気噴射口４１から噴射する二次圧縮した圧縮空気により吹き飛ばして除去清掃する。
【００５８】
図１６は、本発明に係る第２実施例の電気掃除機のフレキシブルノズルの構成を示す正断面図、図１７は、本発明に係る第２実施例の電気掃除機のフレキシブルノズルにおける保形用線材を螺旋状に巻き付けたノズルチューブを示す正面図、図１８は、本発明に係る第２実施例の電気掃除機のフレキシブルノズルのブロワノズルの先端部への取付け状態を示す要部拡大断面図、図１９は、本発明に係る第２実施例の電気掃除機のフレキシブルノズルのノズルチューブ及び保形用線材を屈曲させた状態を示す要部拡大断面図である。
本発明の電気掃除機のフレキシブルノズル１は、保形用線材６Ａが、ノズルチューブ４のノズルチューブ本体４０の外周に螺旋状に巻き付けられている。
【００５９】
フレキシブルノズル１は、図１６に示すように、圧縮空気噴射用の可撓性を有する長尺なノズルチューブ４と、ノズルチューブ４をブロワノズル３の先端部に接続するためのチューブ継手５と、ノズルチューブ４を保形するための可撓性を有する長尺な保形用線材６Ａとから構成されている。
【００６０】
なお、この第２実施例のフレキシブルノズル１のノズルチューブ４及びチューブ継手５は、図１に示す第１実施例のものと同様のため、説明を省略する。
【００６１】
保形用線材６Ａは、芯材である柔軟性を有する長尺な鉛線（図示せず）の周囲が塩化ビニール等の合成樹脂製被覆材（図示せず）により被覆されている。
【００６２】
この第２実施例の電気掃除機のフレキシブルノズルは、図１に示す保形用線材６を図１６に示す保形用線材６Ａに変え、図１７に示すように、保形用線材６Ａをノズルチューブ４のノズルチューブ本体４０の外周に一定のピッチで螺旋状に直接巻き付けることにより、保形用線材６をブロワノズル３及びノズルチューブ４に結束するための複数の結束バンド７を省いたものである。
【００６３】
フレキシブルノズル１のブロワノズル３の先端部への取付けは、まず、図１７に示すように、予めノズルチューブ４のノズルチューブ本体４０の外周に保形用線材６Ａを一定のピッチで螺旋状に巻き付けておく。
【００６４】
次いで、上述した第１実施例と同様に、ブロワノズル３をスポットノズル９の先端部に嵌合装着した後、チューブ継手５のチューブ継手本体５０のノズルチューブ接続部５２をノズルチューブ４のノズルチューブ本体４０の他端４０ｂに形成した挿入用開口部４２から他端部の内部に圧入することにより、ノズルチューブ４のノズルチューブ本体４０の他端部が弾性変形してチューブ継手５のチューブ継手本体５０のノズルチューブ接続部５２の外周面に密着するように嵌合し、ノズルチューブ４のノズルチューブ本体４０の内部の圧縮空気通路４３とチューブ継手５のチューブ継手本体５０のノズルチューブ接続部５２の内部の圧縮空気通路５６とが互いに連通し、保形用線材６Ａを巻き付けられたノズルチューブ４がチューブ継手５のチューブ継手本体５０のノズルチューブ接続部５２に接続され、図１８に示すように、チューブ継手５のチューブ継手本体５０の先端部にノズルチューブ４を保形用線材６Ａと共に取付ける。
【００６５】
その後、ブロワノズル３のブロワノズル本体３０の先端部をチューブ継手５のチューブ継手本体５０の基端５０ａに形成したノズル接続口５３からノズル接続部５１の内部に差し込むことにより、チューブ継手５のチューブ継手本体５０のノズル接続部５１がブロワノズル３のブロワノズル本体３０のテーパ管状部３２の先端部の外側に嵌合され、チューブ継手５のチューブ継手本体５０のノズル接続部５１の内周面５７とブロワノズル３のブロワノズル本体３０のテーパ管状部３２の先端部の外周面３７とが互いに密接し、ノズルチューブ４のノズルチューブ本体４０の一端４０ａに形成した圧縮空気噴射口４１がチューブ継手５のチューブ継手本体５０の先端５０ｂに形成したノズル口５４及びブロワノズル３のブロワノズル本体３０の先端３０ｂに形成した圧縮空気噴出口３４を介してブロワノズル本体３０の内部の排気通路３５と連通し、図１８に示すように、ノズルチューブ４は保形用線材６Ａと共にチューブ継手５を介してブロワノズル３のブロワノズル本体３０のテーパ管状部３２の先端部に取付けられ、フレキシブルノズル１はブロワノズル３の先端部に取付けられる。
【００６６】
金融端末Ｍの内部において被清掃対象物に付着した塵埃を電気掃除機２のフレキシブルノズル１により除去清掃するに際し、図１９に示すように、保守作業員Ｐはフレキシブルノズル１のノズルチューブ４のノズルチューブ本体４０の一端４０ａに形成した圧縮空気噴射口４１が金融端末Ｍの内部の清掃しようとする被清掃対象物の清掃箇所に向くようにノズルチューブ４及び保形用線材６Ａを手で適当な任意の形状に屈曲させることができる。
【００６７】
本発明に係る第２実施例の電気掃除機のフレキシブルノズルの使用方法は、図１に示す本発明の第１実施例の電気掃除機のフレキシブルノズルと全く同様のため、説明を省略する。
【００６８】
図２０は、本発明に係る第３実施例の電気掃除機のフレキシブルノズルの構成を示す正断面図、図２１は、本発明に係る第３実施例の電気掃除機のフレキシブルノズルのノズルチューブを示す正断面図、図２２は、図２１の右側面図、図２３は、図２１の左側面図、図２４は、本発明に係る第３実施例の電気掃除機のフレキシブルノズルのブロワノズルの先端部への取付け状態を示す要部拡大断面図、図２５は、本発明に係る第３実施例の電気掃除機のフレキシブルノズルのノズルチューブを屈曲させた状態を示す要部拡大断面図である。
本発明の電気掃除機のフレキシブルノズル１は、ノズルチューブ４Ａが、ノズルチューブ本体４０の一部に屈曲可能な蛇腹部４４を有している。
【００６９】
フレキシブルノズル１は、図２０に示すように、圧縮空気噴射用の可撓性と保形性を有する長尺なストロータイプのノズルチューブ４Ａと、ノズルチューブ４Ａをブロワノズル３の先端部に接続するためのチューブ継手５とから構成されている。
【００７０】
なお、この第３実施例のフレキシブルノズル１のチューブ継手５は、図１に示す第１実施例のものと同様のため、説明を省略する。
【００７１】
ノズルチューブ４Ａは、図２１に示すように、チューブ継手５のノズルチューブ接続部５２と略同径の円筒状のノズルチューブ本体４０を有し、ノズルチューブ本体４０の一端４０ａには、図２２に示すように、二次圧縮した圧縮空気を噴射するための一側方に向って開口する端面円形の圧縮空気噴射口４１Ａが形成され、ノズルチューブ本体４０の他端４０ｂには、図２３に示すように、チューブ継手５のノズルチューブ接続部５２を挿入するための他側方に向って開口する端面円形の挿入用開口部４２Ａが形成され、ノズルチューブ本体４０の一部となる直管部４５と直管部４６との間には屈曲可能な蛇腹部４４が形成されている。
【００７２】
ノズルチューブ４Ａは、ポリプロピレン，ポリエチレン，ポリスチレンなどの可撓性を有する合成樹脂材料からなる。
【００７３】
この第３実施例の電気掃除機のフレキシブルノズルは、図１に示すノズルチューブ４を図２１に示すノズルチューブ４Ａに変えることにより、保形用線材６及び複数の結束バンド７を省いたものである。
【００７４】
フレキシブルノズル１のブロワノズル３の先端部への取付けは、上述した第１実施例と同様に、ブロワノズル３をスポットノズル９の先端部に嵌合装着した後、チューブ継手５のチューブ継手本体５０のノズルチューブ接続部５２をノズルチューブ４Ａのノズルチューブ本体４０の他端４０ｂに形成した挿入用開口部４２Ａから他端部の内部に圧入することにより、ノズルチューブ４Ａのノズルチューブ本体４０の他端部が弾性変形してチューブ継手５のチューブ継手本体５０のノズルチューブ接続部５２の外周面に密着するように嵌合し、ノズルチューブ４Ａのノズルチューブ本体４０の内部の圧縮空気通路４３Ａとチューブ継手５のチューブ継手本体５０のノズルチューブ接続部５２の内部の圧縮空気通路５６とが互いに連通し、ノズルチューブ４Ａがチューブ継手５のチューブ継手本体５０のノズルチューブ接続部５２に接続され、図２４に示すように、チューブ継手５のチューブ継手本体５０の先端部にノズルチューブ４Ａを取付ける。
【００７５】
その後、ブロワノズル３のブロワノズル本体３０の先端部をチューブ継手５のチューブ継手本体５０の基端５０ａに形成したノズル接続口５３からノズル接続部５１の内部に差し込むことにより、チューブ継手５のチューブ継手本体５０のノズル接続部５１がブロワノズル３のブロワノズル本体３０のテーパ管状部３２の先端部の外側に嵌合され、チューブ継手５のチューブ継手本体５０のノズル接続部５１の内周面５７とブロワノズル３のブロワノズル本体３０のテーパ管状部３２の先端部の外周面３７とが互いに密接し、ノズルチューブ４Ａのノズルチューブ本体４０の一端４０ａに形成した圧縮空気噴射口４１Ａがチューブ継手５のチューブ継手本体５０の先端５０ｂに形成したノズル口５４及びブロワノズル３のブロワノズル本体３０の先端３０ｂに形成した圧縮空気噴出口３４を介してブロワノズル本体３０の内部の排気通路３５と連通し、図２４に示すように、ノズルチューブ４Ａはチューブ継手５を介してブロワノズル３のブロワノズル本体３０のテーパ管状部３２の先端部に取付けられ、フレキシブルノズル１はブロワノズル３の先端部に取付けられる。
【００７６】
金融端末Ｍの内部において被清掃対象物に付着した塵埃を電気掃除機２のフレキシブルノズル１により除去清掃するに際し、図２５に示すように、保守作業員Ｐはフレキシブルノズル１のノズルチューブ４Ａの圧縮空気噴射口４１Ａが金融端末Ｍの内部の清掃しようとする被清掃対象物の清掃箇所に向くようにノズルチューブ本体４０の一部に形成した蛇腹部４４を手で適当な形状に屈曲させることにより、ノズルチューブ４の直管部４６を直管部４５に対して任意の角度で傾けることができる。
【００７７】
なお、ノズルチューブは、チューブ継手のチューブ継手本体のノズルチューブ接続部から抜け外れないように接着剤により固着しても良い。
【００７８】
本発明に係る第３実施例の電気掃除機のフレキシブルノズルの使用方法は、図１に示す本発明の第１実施例の電気掃除機のフレキシブルノズルと全く同様のため、説明を省略する。
【００７９】
なお、本発明の電気掃除機のフレキシブルノズルは、ノズルチューブのノズルチューブ本体の一端に形成した圧縮空気噴射口が、金融端末の内部の清掃しようとする被清掃対象物の清掃箇所に向くように、ノズルチューブを自由に屈曲させることが可能である。
【００８０】
また、本発明の電気掃除機のフレキシブルノズルを使用する金融端末としては、紙幣計算機，両替機，現金処理機，ＵＢＴ（銀行端末），各種出納機器，ＡＤＳ，手形・小切手読取識別装置，手形・小切手発行機，現金整理機，マイクロソータ，エンコーダ，テーラーズマシン，紙幣帯締機，オープン出納機，ＵＭ機器，オートキャッシャ，紙幣等収納機，貨幣・紙幣整理機，硬貨巻機，カード封緘機の台紙カッタなどが挙げられる。
【００８１】
さらに、本発明の電気掃除機のフレキシブルノズルは、金融端末以外の自動改札機や自動販売機やコピー，ファックス，プリンタ，複合機などの情報処理端末の内部の清掃に使用することも可能である。
【図面の簡単な説明】
【００８２】
【図１】本発明に係る第１実施例の電気掃除機のフレキシブルノズルの構成を示す正断面図。
【図２】本発明に係る第１実施例の電気掃除機のフレキシブルノズルのノズルチューブを示す正断面図。
【図３】図２の右側面図。
【図４】図２の左側面図。
【図５】本発明に係る第１実施例の電気掃除機のフレキシブルノズルのチューブ継手を示す正断面図。
【図６】図５の左側面図。
【図７】図５の右側面図。
【図８】本発明に係る第１実施例の電気掃除機のフレキシブルノズルを取付けるブロワノズルを示す正断面図。
【図９】図８の左側面図。
【図１０】図８の右側面図。
【図１１】ブロワノズルのスポットノズルへの取付け状態を示す正面図。
【図１２】ブロワノズルのスポットノズルの先端部への接続状態を示す要部拡大断面図。
【図１３】本発明に係る第１実施例の電気掃除機のフレキシブルノズルのブロワノズルの先端部への取付け状態を示す要部拡大断面図。
【図１４】本発明に係る第１実施例の電気掃除機のフレキシブルノズルのノズルチューブ及び保形用線材を屈曲させた状態を示す要部拡大断面図。
【図１５】本発明に係る第１実施例の電気掃除機のフレキシブルノズルの使用状態を示す概略斜視図。
【図１６】本発明に係る第２実施例の電気掃除機のフレキシブルノズルの構成を示す正断面図。
【図１７】本発明に係る第２実施例の電気掃除機のフレキシブルノズルにおける保形用線材を螺旋状に巻き付けたノズルチューブを示す正面図。
【図１８】本発明に係る第２実施例の電気掃除機のフレキシブルノズルのブロワノズルの先端部への取付け状態を示す要部拡大断面図。
【図１９】本発明に係る第２実施例の電気掃除機のフレキシブルノズルのノズルチューブ及び保形用線材を屈曲させた状態を示す要部拡大断面図。
【図２０】本発明に係る第３実施例の電気掃除機のフレキシブルノズルの構成を示す正断面図。
【図２１】本発明に係る第３実施例の電気掃除機のフレキシブルノズルのノズルチューブを示す正断面図。
【図２２】図２１の右側面図。
【図２３】図２１の左側面図。
【図２４】本発明に係る第３実施例の電気掃除機のフレキシブルノズルのブロワノズルの先端部への取付け状態を示す要部拡大断面図。
【図２５】本発明に係る第３実施例の電気掃除機のフレキシブルノズルのノズルチューブを屈曲させた状態を示す要部拡大断面図。
【符号の説明】
【００８３】
１  フレキシブルノズル
２  電気掃除機
３  ブロワノズル
４，４Ａ  ノズルチューブ
４ａ  一端
４ｂ  他端
５  チューブ継手
６，６Ａ  保形用線材
７  結束バンド（結束手段）
８  ホース
８ａ  一端部
８ｂ  他端部
９  スポットノズル
９ａ  基端部
９ｂ  先端部
２０  掃除機本体
３０  ブロワノズル本体
３０ａ  基端
３０ｂ  先端
３１  直管部
３２  テーパ管状部
３３  スポットノズル接続口
３４  圧縮空気噴出口
３５  排気通路
３６  内周面
３７  外周面
４０  ノズルチューブ本体
４０ａ  一端
４０ｂ  他端
４１，４１Ａ  圧縮空気噴射口
４２，４２Ａ  挿入用開口部
４３，４３Ａ  圧縮空気通路
４４  蛇腹部
４５  直管部
４６  直管部
５０  チューブ継手本体
５０ａ  基端
５０ｂ  先端
５１  ノズル接続部
５２  ノズルチューブ接続部
５３  ノズル接続口
５４  ノズル口
５５  端壁
５６  圧縮空気通路
５７  内周面
９０  外周面
Ｃ１  中心軸線
Ｃ２  中心軸線
Ｃ３  中心軸線
Ｍ  金融端末
Ｐ  保守作業員
θ  交差角度
【図１】
2005278900.tif 000003
【図２】
2005278900.tif 000004
【図３】
2005278900.tif 000005
【図４】
2005278900.tif 000006
【図５】
2005278900.tif 000007
【図６】
2005278900.tif 000008
【図７】
2005278900.tif 000009
【図８】
2005278900.tif 000010
【図９】
2005278900.tif 000011
【図１０】
2005278900.tif 000012
【図１１】
2005278900.tif 000013
【図１２】
2005278900.tif 000014
【図１３】
2005278900.tif 000015
【図１４】
2005278900.tif 000016
【図１５】
2005278900.tif 000017
【図１６】
2005278900.tif 000018
【図１７】
2005278900.tif 000019
【図１８】
2005278900.tif 000020
【図１９】
2005278900.tif 000021
【図２０】
2005278900.tif 000022
【図２１】
2005278900.tif 000023
【図２２】
2005278900.tif 000024
【図２３】
2005278900.tif 000025
【図２４】
2005278900.tif 000026
【図２５】
2005278900.tif 000027